(57)【要約】【課題】ビーム状の光が直接使用者の眼に入射するような事態においても、眼への悪影響を低減できる安全な画像表示方法等を提供すること。【解決手段】画像信号に応じて変調された少なくとも２個のビーム状の光ＬＲ、ＬＧ、ＬＢを発生させるビーム光発生工程１０１と、前記ビーム光発生工程１０１において発生させた前記ビーム状の光ＬＲ、ＬＧ、ＬＢを二次元方向に走査させて、観察者側へ射出する光走査工程１０４と、を含み、前記光走査工程１０４において走査された全ての前記ビーム状の光ＬＲ、ＬＧ、ＬＢは、それぞれ所定値以下の強度を有し、かつ、前記観察者側の空間のいずれの面内において、相互に所定距離以上の空間的間隔ｄ１、ｄ２、ｄ３である。【選択図】      図２
2005010616.tif 000002
【特許請求の範囲】
【請求項１】
画像信号に応じて変調された少なくとも２個のビーム状の光を発生させるビーム光発生工程と、
前記ビーム光発生工程において発生させた前記ビーム状の光を二次元方向に走査させて、観察者側へ射出する光走査工程と、を含み、
前記光走査工程において走査された全ての前記ビーム状の光は、それぞれ所定値以下の強度を有し、かつ、前記観察者側の空間のいずれの面内において、相互に所定距離以上の空間的間隔であることを特徴とする画像表示方法。
【請求項２】
前記所定距離は、７ｍｍより長い距離であることを特徴とする請求項１に記載の画像表示方法。
【請求項３】
前記観察者側の空間のいずれの面内において、相互に前記所定距離以下の前記空間的間隔となる前記ビーム状の光を遮光する遮光工程をさらに含むことを特徴とする請求項１又は２に記載の画像表示方法。
【請求項４】
画像信号に応じて変調された少なくとも２個のビーム状の光を発生する光源部と、
前記光源部が発生した前記ビーム状の光を二次元方向に走査させる光走査部と、を有し、
前記光走査部で走査された全ての前記ビーム状の光は、所定値以下の強度を有し、かつ、前記観察者側の空間のいずれの面内において、相互に所定距離以上の空間的間隔であることを特徴とするプロジェクタ。
【請求項５】
前記走査部で走査された前記ビーム状の光を、前記観察者側の空間の所定面に照射させることによって、画像を表示することを特徴とする請求項４に記載のプロジェクタ。
【請求項６】
少なくとも、前記光源部と、前記光走査部とを収納する筐体と、
前記筐体から前記ビーム状の光を射出させる位置の近傍に、光学的に透明な硝子部材と、をさらに有することを特徴とする請求項５に記載のプロジェクタ。
【請求項７】
少なくとも、前記光源部と、前記光走査部とを収納する筐体と、
前記筐体に設けられ、前記光走査部で走査された前記ビーム状の光を透過させることによって画像を表示するスクリーンと、
をさらに有することを特徴とする請求項４に記載のプロジェクタ。
【請求項８】
前記スクリーンは、少なくとも２個の前記ビーム状の光のうち所定距離以下の空間的間隔である前記ビーム状の光を遮光する遮光部をさらに有することを特徴とする請求項４〜７のいずれか一項に記載のプロジェクタ。
【発明の詳細な説明】
【０００１】
【発明の属する技術分野】
本発明は、画像表示方法及びプロジェクタ、特に、ビーム状の光を走査させることにより画像を表示する画像表示方法に関する。
【０００２】
【従来の技術】
画像表示装置として、画像信号に応じて強度を変調したビーム状のレーザ光をスクリーン面内で走査させるレーザ走査型の画像表示装置が知られている。レーザ走査型の画像表示装置の技術としては、例えば、特許文献１に提案されているものがある。
【０００３】
【特許文献１】
特開２０００−１１１７３３号公報
【０００４】
【発明が解決しようとする課題】
しかしながら、レーザ走査型の画像表示装置は、画像を表示するためにある程度以上の大きな強度のレーザ光を用いる。例えば、観察者や使用者が画像表示装置のレーザ光の射出部分を覗き、直接レーザ光が使用者の眼に入射する場合があり得る。大きな強度のレーザ光を用いると、直接レーザ光が眼に入射した場合、眼に悪影響を及ぼすことがある。このように、従来のレーザ走査型の画像表示装置は、ビーム状の光が直接眼に入射するような事態において、眼に悪影響を及ぼすこと等の安全上の問題がある。
【０００５】
本発明は、上述の問題点を解決するためになされたものであり、ビーム状の光が直接使用者の眼に入射するような事態においても、眼への悪影響を低減できる安全な画像表示方法、及びその画像表示方法を用いたプロジェクタを提供することを目的とする。
【０００６】
【課題を解決するための手段】
上記課題を解決し、目的を達成するために、本発明によれば、画像信号に応じて変調された少なくとも２個のビーム状の光を発生させるビーム光発生工程と、前記ビーム光発生工程において発生させた前記ビーム状の光を二次元方向に走査させて、観察者側へ射出する光走査工程と、を含み、前記光走査工程において走査された全ての前記ビーム状の光は、それぞれ所定値以下の強度を有し、かつ、前記観察者側の空間のいずれの面内において、相互に所定距離以上の空間的間隔であることを特徴とする画像表示方法を提供することができる。
【０００７】
少なくとも２個のレーザ光を用いて画像を表示する場合に、光走査工程において走査させたすべてのレーザ光をそれぞれ所定値以下の強度とするため、１個のレーザ光が観察者の瞳に入射した場合であっても眼に悪影響を及ぼすことを低減できる。１個のレーザ光が所定値以下の強度であっても、２個以上のレーザ光が同時に瞳に入射した場合、眼に悪影響を及ぼす場合がある。このため、さらに、光走査工程において走査させた全てのレーザ光を、相互に所定距離以上の空間的間隔とする。所定距離としては、例えば観察者の瞳の直径の距離とすることができる。全てのレーザ光を相互に所定距離以上の空間的間隔とすることにより、同時に２個以上のレーザ光が瞳に入射することを防止できる。また、全てのレーザ光の空間的間隔は、観察者側の空間のいずれの面内においても相互に所定距離以上とする。これにより、観察者側がいずれの位置にいても、所定の強度以上の２個以上のレーザ光が観察者の瞳に同時に入射することを防止する。これにより、ビーム状の光が直接観察者の瞳に入射するような事態においても、眼への悪影響を低減できる安全な画像表示方法を提供できる。
【０００８】
また、本発明の好ましい態様としては、前記所定距離は、７ｍｍより長い距離であることが望ましい。観察者の瞳の直径は略７ｍｍ程度である。このため、光走査工程において走査させた全てのレーザ光が相互に有する所定距離を７ｍｍより長い距離とすることにより、同時に２個以上のレーザ光が観察者の瞳に入射することを防止できる。これにより、ビーム状の光が直接観察者の眼に入射するような事態においても、眼に悪影響が及ぶことを低減できる。
【０００９】
また、本発明の好ましい態様としては、前記観察者側の空間のいずれの面内において、相互に前記所定距離以下の前記空間的間隔となる前記ビーム状の光を遮光する遮光工程をさらに含むことが望ましい。光走査工程において走査されたレーザ光のうち、相互に所定距離以下の空間的間隔となるレーザ光を遮光することによって、同時に２個以上のレーザ光が直接観察者の眼に入射することを防止できる。これにより、ビーム状の光が直接観察者の眼に入射するような事態においても、眼への悪影響が及ぶことを低減できる。
【００１０】
さらに、本発明によれば、画像信号に応じて変調された少なくとも２個のビーム状の光を発生する光源部と、前記光源部が発生した前記ビーム状の光を二次元方向に走査させる光走査部と、を有し、前記光走査部で走査された全ての前記ビーム状の光は、所定値以下の強度を有し、かつ、前記観察者側の空間のいずれの面内において、相互に所定距離以上の空間的間隔であることを特徴とするプロジェクタを提供することができる。
【００１１】
少なくとも２個のレーザ光を用いて画像を表示する場合に、光走査部により走査させたすべてのレーザ光をそれぞれ所定値以下の強度とする。このため、１個のレーザ光が観察者の瞳に入射した場合であっても眼に悪影響が及ぶことを低減できる。また、１個のレーザ光が所定値以下の強度であっても、２個以上のレーザ光が同時に瞳に入射した場合、眼に悪影響を及ぼすおそれがある。このため、さらに、光走査部により走査させた全てのレーザ光を、相互に所定距離以上の空間的間隔とする。全てのレーザ光を相互に所定距離以上の空間的間隔、例えば、瞳の直径以上の空間的間隔とすることにより、同時に２個以上のレーザ光が瞳に入射することを防止できる。また、全てのレーザ光の空間的間隔は、観察者側の空間のいずれの面内においても相互に所定距離以上とする。これにより、観察者がいずれの位置にいても、所定の強度以上の２個以上のレーザ光が直接観察者の眼に同時に入射することを防止する。これにより、ビーム状の光が直接観察者の眼に入射するような事態においても、眼に悪影響が及ぶことを低減できる。
【００１２】
また、本発明の好ましい態様としては、前記光走査部で走査された前記ビーム状の光を、前記観察者側の空間の所定面に照射させることによって、画像を表示することが望ましい。画像表示装置から、観察者側のスクリーンにレーザ光を投写させるいわゆるフロント投写型のレーザプロジェクタにおいては、画像表示装置から射出させるレーザ光が直接観察者の眼に入射することによって、眼に悪影響を及ぼすおそれがある。本発明によれば、フロント投写型プロジェクタにおいてビーム状の光が直接観察者の眼に入射する事態であっても、眼に悪影響が及ぶことを低減できる。
【００１３】
また、本発明の好ましい態様としては、少なくとも、前記光源部と、前記光走査部とを収納する筐体と、前記筐体から前記ビーム状の光を射出させる位置の近傍に、光学的に透明な硝子部材と、をさらに有することが好ましい。筐体からビーム状の光を射出させる位置の近傍に、光学的に透明な部材を設けることにより、同時に２個以上のレーザ光が直接観察者の眼に入射することを確実に防止できる。
【００１４】
また、本発明の好ましい態様としては、少なくとも、前記光源部と、前記光走査部とを収納する筐体と、前記筐体に設けられ、前記光走査部で走査された前記ビーム状の光を透過させることによって画像を表示するスクリーンと、をさらに有することが望ましい。筐体に設けられたスクリーンにレーザ光を透過させる、いわゆるリア型レーザプロジェクタは、スクリーンを透過させたレーザ光を観察する。本発明の好ましい態様によれば、リア型レーザプロジェクタにおいてビーム状の光が直接観察者の眼に入射する事態であっても、眼に悪影響が及ぶことを低減できる。
【００１５】
また、本発明の好ましい態様としては、前記スクリーンは、少なくとも２個の前記ビーム状の光のうち所定距離以下の空間的間隔である前記ビーム状の光を遮光する遮光部をさらに有することが望ましい。光走査部により走査されたレーザ光のうち、相互に所定距離以下の空間的間隔となるレーザ光を遮光することによって、同時に２個以上のレーザ光が直接観察者の眼に入射することを低減できる。これにより、ビーム状の光が直接観察者の眼に入射するような事態においても、眼に悪影響が及ぶことを低減できる。
【００１６】
【発明の実施の形態】
以下に図面を参照して、本発明の実施形態を詳細に説明する。
（第１実施形態）
図１は、本発明の第１実施形態に係るプロジェクタの概略構成を示す。プロジェクタ１００は、画像信号に応じて変調されたビーム状のレーザ光により画像を表示する。筐体１１０は、少なくとも、光源部１０１と、光走査部であるガルバノミラー１０４とを収納している。光源部１０１は、赤色レーザ光（以下、「Ｒレーザ光」という。）ＬＲを供給するＲ光用レーザ光源１０２Ｒと、緑色レーザ光（以下、「Ｇレーザ光」という。）ＬＧを供給するＧ光用レーザ光源１０２Ｇと、青色レーザ光（以下、Ｂレーザ光」という。）ＬＢを供給するＢ光用レーザ光源１０２Ｂと、を有する。各レーザ光源１０２Ｒ、１０２Ｇ、１０２Ｂには、例えば、半導体レーザ素子や、固体レーザを用いることができる。各光用レーザ光源１０２Ｒ、１０２Ｇ、１０２Ｂは、それぞれ制御部１０６からの画像信号に応じてレーザ光を変調して供給する。これにより、光源部１０１は、画像信号に応じて変調された３個の各色レーザ光ＬＲ、ＬＧ、ＬＢを発生する。また、光源部１０１は、各色レーザ光ＬＲ、ＬＧ、ＬＢのいずれも所定値以下の放射強度となるように、各色レーザ光ＬＲ、ＬＧ、ＬＢを発生する。各色レーザ光ＬＲ、ＬＧ、ＬＢの放射強度については、後述する。
【００１７】
各光用レーザ光源１０２Ｒ、１０２Ｇ、１０２Ｂからの各色レーザ光ＬＲ、ＬＧ、ＬＢは、それぞれガルバノミラー１０４に入射する。ガルバノミラー１０４は、略直交する２軸を中心に回動することにより、光源部１０１からの各色レーザ光ＬＲ、ＬＧ、ＬＢを、二次元方向であるｘｙ方向に走査させる。ガルバノミラー駆動部１０５は、制御部１０６からの画像信号に応じてガルバノミラー１０４を駆動する。ガルバノミラー１０４により走査された各色レーザ光ＬＲ、ＬＧ、ＬＢは、カバー硝子１０７からプラスｚ方向へ射出され、観察者側の空間に設けられているスクリーン１０８に入射する。カバー硝子１０７は、光学的に透明な硝子部材からなり、筐体１１０から各色レーザ光ＬＲ、ＬＧ、ＬＢを射出させる位置の近傍に設けられている。カバー硝子１０７と、スクリーン１０８とは、いずれも、各色レーザ光ＬＲ、ＬＧ、ＬＢが走査されるｘｙ方向に略平行となるように設けられている。なお、あおりの効果を意図的に得る場合は、スクリーン１０８とプロジェクタ１００とを略平行としない場合もある。各色レーザ光ＬＲ、ＬＧ、ＬＢをスクリーン１０８に入射させることにより、スクリーン１０８に画像を表示する。プロジェクタ１００は、観察者側のスクリーン１０８にレーザ光を投写させるいわゆるフロント投写型のレーザプロジェクタである。
【００１８】
図２は、カバー硝子１０７からレーザ光が射出されている様子を、観察者側から目視したものである。上述のように、ビーム状の各色レーザ光ＬＲ、ＬＧ、ＬＢは、プラスｚ方向へ射出されている。各色レーザ光ＬＲ、ＬＧ、ＬＢは、図２に示すｘｙ平面において、スポット状に表すことができる。図２に示す破線は、カバー硝子１０７のｘｙ平面において各色レーザ光ＬＲ、ＬＧ、ＬＢが走査される軌跡である。ここで、上述のようにカバー硝子１０７とスクリーン１０８（図１参照）とは、いずれもｘｙ平面に略平行に設けられている。このため、カバー硝子１０７のｘｙ平面を走査された各色レーザ光ＬＲ、ＬＧ、ＬＢは、そのままスクリーン１０８上の面においても走査される。図２に示す状態の各色レーザ光ＬＲ、ＬＧ、ＬＢは、マイナスｙ方向に走査されている。ガルバノミラー１０４（図１参照）は、各色レーザ光ＬＲ、ＬＧ、ＬＢをマイナスｙ方向に走査させた後、走査位置をプラスｘ方向に移動させる。そして、各色レーザ光ＬＲ、ＬＧ、ＬＢを走査させていたマイナスｙ方向とは逆の方向であるプラスｙ方向へ走査方向を変換する。これを繰り返すことによって、スクリーン１０８（図１参照）の全体に各色レーザ光ＬＲ、ＬＧ、ＬＢを照射させる。
【００１９】
カバー硝子１０７のｘｙ面内において、Ｒレーザ光ＬＲとＧレーザ光ＬＧとの相互の空間的間隔ｄ１は、所定距離である７ｍｍより長い距離である。また、Ｇレーザ光ＬＧとＢレーザ光ＬＢとの相互の空間的間隔ｄ２と、Ｂレーザ光ＬＢとＲレーザ光ＬＲとの空間的間隔ｄ３とも、いずれも空間的間隔ｄ１と同様に、７ｍｍより長い距離である。カバー硝子１０７より観察者側の空間において、各色レーザ光ＬＲ、ＬＧ、ＬＢは、カバー硝子１０７と等間隔の状態、又は発散する状態で射出される。このことから、各色レーザ光ＬＲ、ＬＧ、ＬＢの各空間的間隔ｄ１、ｄ２、ｄ３は、観察者側の空間のいずれの面内においても７ｍｍより長い距離となる。ここで、観察者の平均的な瞳の直径は略７ｍｍである。このため、各空間的間隔ｄ１、ｄ２、ｄ３の７ｍｍより長い距離とは、瞳の直径より略大きな距離である。このため、各色レーザ光ＬＲ、ＬＧ、ＬＢのうち少なくとも２個以上のレーザ光が同時に瞳に入射することを防止できる。また、観察者側の空間のいずれの面内においても各空間的間隔ｄ１、ｄ２、ｄ３を７ｍｍより長い距離とすることにより、プロジェクタ１００を観察者側のいずれの位置から目視した場合であっても、２個以上のレーザ光が同時に瞳に入射することを防止できる。なお、投写レンズ等を用いる場合には、各色レーザ光ＬＲ、ＬＧ、ＬＢが投写レンズ等から射出された空間のいずれの面内においても、各色レーザ光ＬＲ、ＬＧ、ＬＢの空間的間隔が７ｍｍより長い距離となるように設定する。
【００２０】
上述のように、各色レーザ光ＬＲ、ＬＧ、ＬＢは、いずれも所定値以下の強度を有する。ここで、各色レーザ光ＬＲ、ＬＧ、ＬＢは、例えば、レーザ製品に使用するレーザの安全基準であるＪＩＳ６８０２に規定されているレーザクラス２レベル以下の強度であることが望ましい。レーザクラス２レベルのレーザ光は、４００ｎｍ〜７００ｎｍの波長範囲で可視放射を放出するレーザである。レーザクラス２レベルのレーザ光が眼に入射した場合、通常、まばたきの反射作用を含む嫌悪反応によって眼の保護がなされる。そのため、レーザクラス２レベルのレーザ光は、例えば、ガルバノミラー１０４によって走査させて瞬間的に瞳を通過した場合の危険性について考慮を要しないものである。従って、各色レーザ光ＬＲ、ＬＧ、ＬＢの強度をレーザクラス２レベル以下とすることにより、各色レーザ光ＬＲ、ＬＧ、ＬＢが単独で眼に入射した場合であっても眼の保護がなされ、眼に悪影響が及ぶことを低減できる。
【００２１】
また、各色レーザ光ＬＲ、ＬＧ、ＬＢが所定値以下の強度であっても、同時に各色レーザ光ＬＲ、ＬＧ、ＬＢのうち２個以上のレーザ光が瞳に入射した場合、眼に悪影響を及ぼすおそれがある。このため、上述のように、各色レーザ光ＬＲ、ＬＧ、ＬＢを、いずれも相互に７ｍｍより長い距離の空間的間隔とすることにより、同時に２個以上のレーザ光が瞳に入射することを防止できる。このようにして、観察者が観察者側のいずれの位置からプロジェクタ１００を目視した場合であっても、同時に所定の強度以上のレーザ光が直接観察者の瞳に入射することを防止できる。これにより、ビーム状の光が直接観察者の眼に入射するような事態においても、眼に悪影響が及ぶことを低減できるという効果を奏する。さらに、筐体１１０から各色レーザ光ＬＲ、ＬＧ、ＬＢを射出させる位置の近傍にカバーガラス１０７を設けることにより、確実に、各色レーザ光ＬＲ、ＬＧ、ＬＢのいずれも相互に７ｍｍより長い距離の空間的間隔にできる。
【００２２】
なお、本実施形態のプロジェクタ１００は、光走査部としてガルバノミラー１０４を用いているが、これに限られない。例えば、光走査部として、所定軸を中心に複数の反射面を回動させるポリゴンミラーを用いても良い。また、プロジェクタ１００は、一つのガルバノミラー１０４によって各色レーザ光ＬＲ、ＬＧ、ＬＢを走査させることとしているが、各色光についてそれぞれガルバノミラーを備え、各色レーザ光ＬＲ、ＬＧ、ＬＢについて別個に走査させる構成としても良い。この場合も各色レーザ光ＬＲ、ＬＧ、ＬＢがいずれも相互に７ｍｍより長い距離の空間的間隔となるように各ガルバノミラーを駆動することにより、一つのガルバノミラー１０４を用いる場合と同様に、眼に悪影響が及ぶことを低減できる。
【００２３】
図３、図４を用いて、本実施形態のプロジェクタ１００の第１及び第２の変形例についてそれぞれ説明する。図３に示すように、Ｒレーザ光ＬＲとＧレーザ光ＬＧとの走査幅ｄ１１と、Ｇレーザ光ＬＧとＢレーザ光ＬＢとの走査幅ｄ１２とを、予め７ｍｍより長い距離としても良い。このように、各色レーザ光ＬＲ、ＬＧ、ＬＢがｙ方向に走査されるときの走査幅を予め７ｍｍより長い距離となるように設定する。３つのレーザ光源１０２Ｒ、１０２Ｇ、１０２Ｂの位置が固定されており、かつ光走査部であるガルバノミラー１０４が一つの場合、３つの各色レーザ光ＬＲ、ＬＧ、ＬＢの位置関係は固定されている。これに対して、３つの各色レーザ光ＬＲ、ＬＧ、ＬＢがそれぞれ別のガルバノミラー１０４によって走査される場合、３つの各色レーザ光ＬＲ、ＬＧ、ＬＢの位置関係は固定されない。このため、例えば、各ガルバノミラー１０４の駆動の同期が合わなくなった場合、各色レーザ光ＬＲ、ＬＧ、ＬＢが集中してしまうことも考えられる。このとき走査幅ｄ１１、ｄ１２を予め７ｍｍより長い距離とすることにより、各色レーザ光ＬＲ、ＬＧ、ＬＢのうち少なくとも２個のレーザ光が直径７ｍｍ以下の範囲に集中することを確実に防止できる。
【００２４】
図４は、本実施形態の第２の変形例における、各色レーザ光の様子を示す。本変形例では、スクリーン１０８を３つの領域に分け、それぞれの領域を異なる光源部からのレーザ光によって画像を表示する。プロジェクタは、各色光用レーザ光源をそれぞれ備えた３つの光源部を有する。それぞれの光源部からの各色レーザ光ＬＲ、ＬＧ、ＬＢは、各光源部に対応して設けられているガルバノミラーによって走査される。このとき、カバー硝子１０７のｘｙ平面においてｙ方向に並列させた３つの矩形領域１０７ａに、それぞれ各色レーザ光ＬＲ、ＬＧ、ＬＢが走査される。なお、３つの矩形領域１０７ａをｙ方向に並列させる構成とせず、ｘ方向に並列させることとしても良い。カバー硝子１０７において一つの領域１０７ａを走査させるレーザ光ＬＲ、ＬＧ、ＬＢのそれぞれの放射強度を合計したときに所定値以下となるように、レーザ光ＬＲ、ＬＧ、ＬＢの放射強度を設定する。そして、レーザ光ＬＲ、ＬＧ、ＬＢを組み合わせて各領域１０７ａ、１０７ａ、１０７ａに走査させたときに、レーザ光ＬＲ、ＬＧ、ＬＢの３つの組合せどうしの空間的間隔を相互に７ｍｍより長い距離とする。これにより、所定値以上の強度のレーザ光が、同時に観察者の瞳に入射することを防止できる。
【００２５】
（第２実施形態）
図５は、本発明の第２実施形態に係るプロジェクタ５００の概略構成を示す。上記第１実施形態のプロジェクタ１００と同一の部分には同一の符号を付し、重複する説明は省略する。プロジェクタ５００は、筐体に設けられたスクリーンにレーザ光を透過させることによって画像を表示する、いわゆるリア型のレーザプロジェクタである。
【００２６】
プロジェクタ５００は、少なくとも光源部１０１と、光走査部であるガルバノミラー１０４とを収納する筐体５１０を有する。筐体５１０の観察者側の面には、透過型スクリーン５０７が設けられている。ガルバノミラー１０４からの各色レーザ光ＬＲ、ＬＧ、ＬＢは、透過型スクリーン５０７の第１面Ｓ１に入射する。透過型スクリーン５０７に対して、筐体５１０の内部側の第１面Ｓ１に各色レーザ光ＬＲ、ＬＧ、ＬＢが投写される。観察者は、筐体５１０の観察者側の第２面Ｓ２から投写像を観察する。なお、透過型スクリーン５０７の第１面Ｓ１は、フレネルレンズの形状に加工されている。第１面Ｓ１をフレネルレンズの形状とすることにより、透過型スクリーン５０７の法線、即ちｚ軸に平行な線に対して所定の角度をもって入射するレーザ光を観察者の方向へ偏向することができる。これにより、投写像の歪みを低減し、良質な投写像を得られる。
【００２７】
プロジェクタ５００では、筐体５１０に設けられた透過型スクリーン５０７に各色レーザ光ＬＲ、ＬＧ、ＬＢを照射する。観察者は、透過型スクリーン５０７を透過した各色レーザ光ＬＲ、ＬＧ、ＬＢを観察する。このため、例えば、透過型スクリーン５０７が破損した場合、観察者の眼に直接各色レーザ光ＬＲ、ＬＧ、ＬＢが入射するおそれがある。そこで、上述の第１実施形態のプロジェクタ１００と同様、各色レーザ光ＬＲ、ＬＧ、ＬＢを、いずれも所定値以下の放射強度とする。また、各色レーザ光ＬＲ、ＬＧ、ＬＢは、観察者側の空間のいずれの面内において、相互に７ｍｍより長い距離の空間的間隔とする。このため、例えば透過型スクリーン５０７の破損によって各色レーザ光ＬＲ、ＬＧ、ＬＢが観察者側の空間へ直接射出した場合であっても、所定値以上の放射強度の２個以上のレーザ光が観察者の瞳に同時に入射することを防止できる。これにより、リア型レーザプロジェクタにおいて、観察者の眼への悪影響を低減できるという効果を奏する。
【００２８】
（第３実施形態）
図６を用いて、本発明の第３実施形態に係るプロジェクタについて説明する。図６は、本実施形態のプロジェクタのカバー硝子６０７を、観察者側から目視した様子を示す。上記第１実施形態のプロジェクタ１００と同一の部分には同一の符号を付し、重複する説明は省略する。本実施形態のプロジェクタは、相互に所定距離以下の空間的間隔となるレーザ光を遮光する遮光部を有することを特徴とする。
【００２９】
本実施形態のプロジェクタは、上記の第１実施形態に係るプロジェクタ１００と同様、フロント投写型のレーザプロジェクタである。カバー硝子６０７のｘｙ平面を射出した各色レーザ光ＬＲ、ＬＧ、ＬＢは、そのままスクリーン１０８（図１参照）上の面においても走査される。カバー硝子６０７のｘｙ平面において、レーザ光ＬＲ、ＬＧ、ＬＢを、いずれも７ｍｍより長い距離の空間的間隔で、かつ、レーザ光ＬＢ、ＬＧ、ＬＲの順に図６（ａ）に示す破線矢印で示す走査軌跡を走査させる。各色レーザ光ＬＲ、ＬＧ、ＬＢは、例えば、それぞれ別のガルバノミラーを用いて走査される。図６（ａ）に示す状態から各色レーザ光ＬＲ、ＬＧ、ＬＢがマイナスｙ方向に走査された後、レーザ光ＬＢから順に走査位置をプラスｘ方向に移動させる。そして、各色レーザ光ＬＢ、ＬＧ、ＬＲの走査方向を、それまでのマイナスｙ方向とは逆の方向である、プラスｙ方向に変換する。
【００３０】
図６（ａ）に示す状態から各色レーザ光ＬＲ、ＬＧ、ＬＢをマイナスｙ方向に走査させた後、走査位置をプラスｘ方向に移動させ、さらに走査方向をプラスｙ方向に変換している状態を、図６（ｂ）に示す。このとき、図６（ｂ）に示すように、各色レーザ光ＬＲ、ＬＧ、ＬＢは、走査方向がマイナスｙ方向からプラスｙ方向に変換される前後において、カバー硝子６０７の外周付近の一部に集中することとなる。このため、各色レーザ光ＬＲ、ＬＧ、ＬＢのうちの２個のレーザ光、あるいは３個すべてのレーザ光が、一時的に、カバー硝子６０７のｘｙ平面において相互に７ｍｍ以内の空間的間隔となる場合がある。
【００３１】
遮光部である防護硝子６１０は、カバー硝子６０７の外周のうち対向する２辺に設けられている。本実施形態のプロジェクタは、ｘｙ平面において略長方形を有するカバー硝子６０７の短辺付近において各色レーザ光ＬＲ、ＬＧ、ＬＢの走査方向を変換させるため、カバー硝子６０７の短辺に沿って防護硝子６１０を設けている。このため、カバー硝子６０７の外周付近で各色レーザ光ＬＲ、ＬＧ、ＬＢが相互に７ｍｍ以下の空間的間隔となる場合があっても、７ｍｍ以下の空間的間隔であるレーザ光を遮光することができる。このようにして防護硝子６１０を設けることによって、同時に２個以上のレーザ光が観察者の眼に入射することを防止できる。これにより、ビーム状の光が直接観察者の眼に入射するような事態においても、眼に悪影響が及ぶことを低減できるという効果を奏する。
【００３２】
なお、本実施形態のプロジェクタはフロント投写型のレーザプロジェクタであるが、上記の第２実施形態のプロジェクタ５００と同様の、リア型レーザプロジェクタとしても良い。リア型レーザプロジェクタに防護硝子６１０を設けることにより、本実施形態のプロジェクタと同様、眼に悪影響が及ぶことを低減できる。また、上記の各実施形態において、３つのレーザ光ＬＲ、ＬＧ、ＬＢを走査させることとしているが、これに限らず、２個以上のレーザ光を走査させるプロジェクタについて、本発明を適用することができる。さらに、プロジェクタは、指向性を有するビーム状の光を走査させるものであれば、レーザ光を用いるものに限られない。例えば、光源にレーザダイオードを用いるプロジェクタにも、本発明を適用できる。
【図面の簡単な説明】
【図１】本発明の第１実施形態に係るプロジェクタの概略構成図。
【図２】レーザ光の走査方法についての説明図。
【図３】他のレーザ光の走査方法についての説明図。
【図４】他のレーザ光の走査方法についての説明図。
【図５】本発明の第２実施形態に係るプロジェクタの概略構成図。
【図６】本発明の第３実施形態に係るプロジェクタの一部の拡大図。
【符号の説明】
１００  プロジェクタ、１０１  光源部、１０２Ｒ  Ｒ光用レーザ光源、１０２Ｇ  Ｇ光用レーザ光源、１０２Ｂ  Ｂ光用レーザ光源、１０４  ガルバノミラー、１０５  ガルバノミラー駆動部、１０６  制御部、１０７  カバー硝子、１０７ａ  領域、１０８  スクリーン、１１０  筐体、５００  プロジェクタ、５０７  透過型スクリーン、５１０  筐体、６０７  カバー硝子、６１０  防護硝子、ｄ１、ｄ２、ｄ３、ｄ１１、ｄ１２  空間的間隔、ＬＲ、ＬＧ、ＬＢ  レーザ光、Ｓ１  第１面、Ｓ２  第２面
【図１】
2005010616.tif 000003
【図２】
2005010616.tif 000004
【図３】
2005010616.tif 000005
【図４】
2005010616.tif 000006
【図５】
2005010616.tif 000007
【図６】
2005010616.tif 000008